(57)【要約】【課題】全高を小さくし、任意の框厚への対応を可能にしつつ、外框の切欠を小さくできる引違い戸用錠を提供する。【解決手段】  引違い戸用錠１００において、内框１１に設けられ摘み２７の操作に連動して昇降する昇降板２５と、昇降板２５に連動して外框のストライク２９に挿抜されるカマボルト１９と、シリンダ錠１７を収容し外框１３に固定される錠ケース３１と、シリンダ錠１７のテールピースと一体回転する錠歯車３３と、錠歯車３３に噛合して錠ケース内に回転自在に保持されるケース歯車３５と、ケース歯車３５に相対回転不能となって同軸に挿入されピニオン３７を固定した先端が外框１３の内部に挿入されるアジャスト伝達軸３９と、ピニオン３７に噛合するラック４１を有し外框内を昇降する昇降ブラケット４３と、昇降ブラケット４３に連動し内外框の召合面開口部から進退して昇降板２５を昇降させる振出爪２１，２３と、を設けた。【選択図】  図１
2010168855.tif 000002
【特許請求の範囲】
【請求項１】
引違い戸の内框に設けられる摘みと、
前記内框に設けられ該摘みの操作に連動して昇降する昇降板と、
前記内框に揺動自在に支持され該昇降板に連動して外框のストライクに挿抜されるカマボルトと、
シリンダ錠を収容し前記外框に固定される錠ケースと、
前記シリンダ錠のテールピースと一体回転する錠歯車と、
該錠歯車に噛合して錠ケース内に回転自在に保持されるケース歯車と、
該ケース歯車に相対回転不能となって同軸に挿入されピニオンを固定した先端が前記外框の内部に挿入されるアジャスト伝達軸と、
前記ピニオンに噛合するラックを有し外框内を昇降する昇降ブラケットと、
前記外框に回転自在に支持され該昇降ブラケットに連動し内外框の召合面開口部から進退して前記昇降板を昇降させる振出爪と、
を具備したことを特徴とする引違い戸用錠。
【請求項２】
請求項１記載の引違い戸用錠であって、
前記昇降板の昇降に連動して前記内框から進退し前記振出爪の進退路を包囲する筒状のプロテクタを具備したことを特徴とする引違い戸用錠。
【請求項３】
引違い戸の内框に設けられる摘みと、
前記内框に設けられ該摘みの操作に連動して昇降する昇降板と、
前記内框に揺動自在に支持され該昇降板に連動して外框のストライクに挿抜されるカマボルトと、
シリンダ錠を収容し前記外框に固定される錠ケースと、
前記シリンダ錠のテールピースと一体回転する錠歯車と、
該錠歯車に噛合するラックを有し錠ケース内を昇降するスライダと、
該スライダに先端が貫通され長穴を介し基端が外框内に挿入されるアジャスト昇降軸と、
該アジャスト昇降軸の基端に固定され外框内を昇降する昇降ブラケットと、
前記外框に回転自在に支持され該昇降ブラケットに連動し内外框の召合面開口部から進退して前記昇降板を昇降させる振出爪と、
を具備したことを特徴とする引違い戸用錠。
【発明の詳細な説明】
【技術分野】
【０００１】
本発明は、外框に設けたシリンダ錠の操作により、内框に設けたカマボルトを外框に対し挿抜して施解錠を可能とする引違い戸用錠に関する。
【背景技術】
【０００２】
引違い戸は、二枚以上の障子が平行な二筋溝により横に開閉され、閉めたときに室内側の内框と室外側の外框が重なり合う、すなわち召合わされる。このような引違い戸は、例えば玄関に使用した場合、室内側と室外側の双方からの施解錠を可能としなければならない。すなわち、室内にて施錠した場合であっても、室外に設けたシリンダ錠を合鍵操作することで、解錠されなければならない。そこで、シリンダ錠の設けられる外框から、カマボルトの設けられる内框へ外部施解錠操作力を入力可能とした引違い戸用錠が案出された（例えば特許文献１，２参照）。
【０００３】
この種の引違い戸用錠は、内框に設けた摘みを操作することで、昇降板を作動させ、昇降板に連動するカマボルトを内框から進退させ、外框に設けたストライクに挿抜して施解錠を行う。外框には、シリンダ錠、振出爪が設けられ、シリンダ錠の合鍵操作にて振出爪が外框から内框内へ進退可能となる。内框に進入した振出爪は、昇降板を昇降することで、摘みによる施解錠と同様に、カマボルトを内框から進退させ、外框のストライクに挿抜することで施解錠を可能とした。
【先行技術文献】
【特許文献】
【０００４】
【特許文献１】特開昭６１−１７２９７５号公報
【特許文献２】特開２０００−３５２２４７号公報
【発明の概要】
【発明が解決しようとする課題】
【０００５】
しかしながら、上記した従来の引違い戸用錠は、シリンダ錠と振出爪を框に沿った上下に配置し、シリンダ錠のテールピースに固定した歯車にラック等を噛合して、振出爪を進退させていたため、外框に、シリンダ錠、振出爪、及びストライクの３部材を上下に並べて配置しなければならず、框に沿った上下方向の寸法、すなわち、全高が大きくなる問題があった。また、シリンダ錠のテールピースに固定した歯車を振出爪を作動するラック等に噛合させていたため、振出爪とシリンダ錠を相対移動できず、取り付け可能寸法がシリンダ錠の全長に依存した。すなわち、外框がシリンダ錠の全長よりも厚い場合には、シリンダ錠の鍵穴が外框表面から奥まった位置となり、取り付けに支障が生じ、さらには操作性の低下を招くものとなる。このため、任意の厚みの外框に対応可能な汎用性が求められていた。さらに、シリンダ錠、振出爪、及びストライクを一体としたユニットを外框に取り付けていたため、外框に大きな取り付け穴を穿設しなければならず、外框の強度を低下させる虞があった。
【０００６】
本発明は上記状況に鑑みてなされたもので、その目的は、全高を小さくし、任意の框厚への対応を可能にしつつ、外框の切欠を小さくできる引違い戸用錠を提供し、もって、コンパクト化を図りつつ、汎用性を高め、しかも、框強度の向上を図ることにある。
【課題を解決するための手段】
【０００７】
次に、上記の課題を解決するための手段を、実施の形態に対応する図面を参照して説明する。
本発明の請求項１記載の引違い戸用錠は、引違い戸の内框１１に設けられる摘み２７と、
前記内框１１に設けられ該摘み２７の操作に連動して昇降する昇降板２５と、
前記内框１１に揺動自在に支持され該昇降板２５に連動して外框１３のストライク２９に挿抜されるカマボルト１９と、
シリンダ錠１７を収容し前記外框１３に固定される錠ケース３１と、
前記シリンダ錠１７のテールピース８７と一体回転する錠歯車３３と、
該錠歯車３３に噛合して錠ケース内に回転自在に保持されるケース歯車３５と、
該ケース歯車３５に相対回転不能となって同軸に挿入されピニオン３７を固定した先端が前記外框１３の内部に挿入されるアジャスト伝達軸３９と、
前記ピニオン３７に噛合するラック４１を有し外框内を昇降する昇降ブラケット４３と、
前記外框１３に回転自在に支持され該昇降ブラケット４３に連動し内外框の召合面開口部から進退して前記昇降板２５を昇降させる振出爪２１，２３と、
を具備したことを特徴とする。
【０００８】
この引違い戸用錠では、従来、カマボルト１９及び振出爪２１，２３と共に上下に並べて配置しなければならなかったシリンダ錠１７が、これらと重ねて配置でき、上下寸法、すなわち框に沿った上下長さとなる全高の短縮が可能となる。また、アジャスト伝達軸３９が、ケース歯車３５に対して挿抜方向に移動自在、すなわち調整自在となるので、厚みの異なる種々の外框に対応可能となる。さらに、シリンダ錠１７の操作回転が、アジャスト伝達軸３９により外框内へ入力できるので、取り付けのために外框１３に形成する開口が小さくなる。
【０００９】
請求項２記載の引違い戸用錠は、請求項１記載の引違い戸用錠であって、
前記昇降板２５の昇降に連動して前記内框１１から進退し前記振出爪２１，２３の進退路６９を包囲する筒状のプロテクタ５７を具備したことを特徴とする。
【００１０】
この引違い戸用錠では、昇降板２５の移動によりカマボルト１９がストライク２９に係合すると、同時に、昇降板２５の移動に連動してプロテクタ５７が振出爪２１，２３の進退路６９に突出し、プロテクタ５７が内框１１及び外框１３に形成された召合面開口部７７を覆う。これにより、外部より外框１３と内框１１の召合面から針金等が内部機構部へ挿入できなくなる。
【００１１】
請求項３記載の引違い戸用錠は、引違い戸の内框１１に設けられる摘み２７と、
前記内框１１に設けられ該摘み２７の操作に連動して昇降する昇降板２５と、
前記内框１１に揺動自在に支持され該昇降板２５に連動して外框１３のストライク２９に挿抜されるカマボルト１９と、
シリンダ錠１７を収容し前記外框１３に固定される錠ケース３１と、
前記シリンダ錠１７のテールピース８７と一体回転する錠歯車３３と、
該錠歯車３３に噛合するラック４１を有し錠ケース内を昇降するスライダ１２１と、
該スライダ１２１に先端が貫通され長穴１２５を介し基端が外框内に挿入されるアジャスト昇降軸１２３と、
該アジャスト昇降軸１２３の基端に固定され外框内を昇降する昇降ブラケット４３Ａと、
前記外框１３に回転自在に支持され該昇降ブラケット２５に連動し内外框の召合面開口部７７から進退して前記昇降板２５を昇降させる振出爪２１，２３と、
を具備したことを特徴とする。
【００１２】
この引違い戸用錠では、従来、カマボルト１９及び振出爪２１，２３と共に上下に並べて配置しなければならなかったシリンダ錠１７が、これらと重ねて配置でき、上下寸法、すなわち框に沿った上下長さである全高の短縮が可能となる。また、アジャスト昇降軸１２３が、スライダ１２１に対して挿抜方向に移動自在、すなわち調整自在となるので、厚みの異なる種々の外框１３に対応可能となる。さらに、シリンダ錠１７の操作回転が、アジャスト昇降軸１２３により外框内へ入力できるので、取り付けのために外框１３に形成する開口が小さくなる。また、ラック付きスライダ１２１が錠ケース３１に収容されるので、外框内の部品点数が少なくなる。
【発明の効果】
【００１３】
本発明に係る請求項１記載の引違い戸用錠によれば、シリンダ錠を収容した錠ケースを外框に固定し、この錠ケースに、テールピースと一体回転する錠歯車と、それに噛合するケース歯車を設け、ケース歯車に挿入されるアジャスト伝達軸の先端にピニオンを固定して外框の内部に挿入し、振出爪を進退させる昇降ブラケットのラックに、このピニオンを噛合したので、シリンダ錠をカマボルト、振出爪と上下に並べずに済み、框に沿う長さである全高を小さくできる。また、アジャスト伝達軸とケース歯車が軸線に沿って相対移動可能なので、任意の框厚に対応できる。さらに、ストライク、シリンダ錠、および振出爪を一体に備えたユニットを外框に装着する必要がなくなり、外框の切欠を小さくできる。この結果、コンパクト化を図りつつ、汎用性を高め、しかも、框強度を向上させることができる。
【００１４】
請求項２記載の引違い戸用錠によれば、昇降板の昇降に連動して内框から進退し振出爪の進退路を包囲する筒状のプロテクタを備えたので、施錠時に、プロテクタによって振出爪の進退路を覆うことができ、外部より外框と内框の召合面から針金等を挿入し、振出爪や昇降板を可動することによる不正解錠を不能にして防犯性を向上させることができる。
【００１５】
請求項３記載の引違い戸用錠によれば、シリンダ錠を収容した錠ケースを外框に固定し、この錠ケースに、テールピースと一体回転する錠歯車と、それに噛合するラックを有して錠ケース内を昇降するスライダとを設け、このスライダに、外框内に挿入されるアジャスト昇降軸の先端を挿入し、振出爪を進退させる昇降ブラケットにこのアジャスト昇降軸の基端を固定したので、シリンダ錠をカマボルト、振出爪と上下に並べずに済み、框に沿う長さである全高を小さくできる。また、アジャスト昇降軸とケース歯車が軸線に沿って相対移動可能なので、任意の框厚に対応できる。さらに、ストライク、シリンダ錠、および振出爪を一体に備えたユニットを外框に装着する必要がなくなり、外框の切欠を小さくできる。また、ラック付きスライダを錠ケースに収容するので、外框内の部品点数を少なくでき、より小さい外框への装着を可能にできる。この結果、コンパクト化を図りつつ、汎用性を高め、しかも、框強度を向上させることができる。
【図面の簡単な説明】
【００１６】
【図１】本発明に係る引違い戸用錠の開（解錠）状態の縦断面図である。
【図２】図１に示した引違い戸用錠の閉（施錠）状態の縦断面図である。
【図３】図２のＡ−Ａ矢視図である。
【図４】図２のＢ−Ｂ矢視図である。
【図５】図２のＣ−Ｃ矢視図である。
【図６】図２のＤ−Ｄ矢視図である。
【図７】図２のＥ−Ｅ矢視図である。
【図８】図２のＦ矢視図である。
【図９】図２のＧ−Ｇ矢視図である。
【図１０】図２のＨ−Ｈ矢視図である。
【図１１】（ａ）は振出爪をアジャスト伝達軸の軸線に沿う方向から見た要部正面図、（ｂ）はその側面図である。
【図１２】解錠状態におけるカマボルト近傍の側面図である。
【図１３】施解錠の途中状態におけるカマボルト近傍の側面図である。
【図１４】施錠状態におけるカマボルト近傍の側面図である。
【図１５】図１１の施錠状態図である。
【図１６】図１１の解錠状態図である。
【図１７】本発明に係る引違い戸用錠の他の実施の形態の縦断面図である。
【発明を実施するための形態】
【００１７】
以下、本発明の実施の形態を図面を参照して説明する。
図１は本発明に係る引違い戸用錠の開（解錠）状態の縦断面図である。
本実施の形態による引違い戸用錠１００は、二枚以上の戸や障子が閉められたときに、室内側の内框１１と室外側の外框１３が重なり合う召合１５に設けられる。室外側の外框１３に設けたシリンダ錠１７を合鍵操作することで、カマボルト１９の設けられた内框１１への外部施解錠操作力の入力、すなわち以下で説明する振出爪２１，２３による昇降板２５の駆動を可能としている。
【００１８】
引違い戸用錠１００は、主要な構成として、摘み２７、昇降板２５、ストライク２９、カマボルト１９、シリンダ錠１７、錠ケース３１、錠歯車３３、ケース歯車３５、ピニオン３７、アジャスト伝達軸３９、ラック４１、昇降ブラケット４３、振出爪２１，２３を備える。
【００１９】
図２は図１に示した引違い戸用錠の閉（施錠）状態の縦断面図である。
摘み２７は、引違い戸における内框１１の室内側の面に設けられ、化粧板４５の開口窓４７内で上下（図２の上下）にスライド操作される。摘み２７にはピン４９を介して昇降板２５が係合され、昇降板２５は摘み２７の操作に連動して内框１１内を昇降する。カマボルト１９は、図２の紙面垂直方向の支持軸５１にて揺動自在に支持され、先端爪５３と、基端係合穴５５とを有する。
【００２０】
図３は図２のＡ−Ａ矢視図である。
カマボルト１９は、複数枚（図例では４枚）の板金材１９ａが重ねあわせられることで高強度に形成される。カマボルト１９は、支持軸５１（図２参照）を介して錠箱５９に支持される。昇降板２５は、錠箱５９内の両内壁５９ａ，５９ａに挟まれて昇降ガイドされる。なお、図中、５７は振出爪２１，２３の進退路をガードするプロテクタ、６０は振出爪２１，２３にて押圧されるＬ字片を示す。
【００２１】
図４は図２のＢ−Ｂ矢視図である。
内框１１の外框１３に対向する面には、フロント板６１がビス６３，６３にて固定される。フロント板６１には、プロテクタ５７を進退させる矩形開口穴６５、カマボルト１９を進退させる進退穴６７が形成される。矩形開口穴６５にて進退するプロテクタ５７は、内方に振出し爪の進退路６９を包囲する。図中、７１はフロント板６１を錠箱５９に固定するネジを示す。
【００２２】
図５は図２のＣ−Ｃ矢視図である。
外框１３の内框１１に対向する面には、ストライク２９がビス７３，７３にて固定される。ストライク２９の下部にはストライク穴７５が形成される。カマボルト１９は、図２に示す基端係合穴５５に昇降板２５の固定ピン５６を係合することで、昇降板２５の昇降に連動して進退穴６７から進退し、ストライク２９のストライク穴７５に挿抜される。ストライク２９の略中央部には振出爪２１，２３を進退させる振出穴７７が形成される。図中、７６は錠ケース３１を外框１３に固定する固定ネジを示す。なお、図中にはプロテクタ５７を仮想線（二点鎖線）にて示す。
【００２３】
図６は図２のＤ−Ｄ矢視図である。
錠箱５９の側壁には横穴８１が形成され、横穴８１はプロテクタ５７に突設されたガイドピン８３をガイドしてプロテクタ５７の移動をガイドする。外框１３には錠箱７９が設けられ、錠箱７９は振出爪２１，２３、昇降ブラケット４３、ピニオン３７を収容する。図中、８５は化粧板４５の後面に一体形成されて摘み２７を収容するハウジング、８７はシリンダ錠１７の内筒と一体回転する出力部材であるテールピースを示す。
【００２４】
図７は図２のＥ−Ｅ矢視図である。
ケース歯車３５は、図６に示した錠歯車３３に、下方で噛合する。ケース歯車３５には軸心と同軸の例えば角穴８９が貫通形成され、角穴８９はアジャスト伝達軸３９の角柱端部を相対回転不能としてスライド自在に挿入する。角穴８９の外周部には円柱状の軸部９１が形成され、ケース歯車３５はこの軸部９１が歯車保持凹部９３に収容されることで、錠ケース３１に回転自在に保持される。
【００２５】
図８は図２のＦ矢視図である。
外框１３の室外側の面にはシリンダ錠１７を収容した錠ケース３１が固定される。錠ケース３１は、外框１３の裏面側から挿通された図２に示す固定ネジ７６が、背面の雌ネジ部９７に螺合することで螺着される。錠ケース３１の表面にはシリンダ窓部９９が形成され、シリンダ窓部９９はシリンダ錠１７の鍵穴１０１を表出させる。
【００２６】
図９は図２のＧ−Ｇ矢視図である。
シリンダ錠１７のテールピース８７には錠歯車３３が相対回転不能に固定される。錠歯車３３と噛合するケース歯車３５の角穴８９には、内框１１から貫通孔９０（図１参照）を貫通して突出されたアジャスト伝達軸３９が挿入される。回転力の伝達方向は、シリンダ錠１７を合鍵操作することによるテールピース８７の回転が、錠歯車３３からケース歯車３５に伝達し、ケース歯車３５からアジャスト伝達軸３９を介して内框１１側へ出力する一方向となる。
【００２７】
図１０は図２のＨ−Ｈ矢視図である。
錠箱７９には昇降ブラケット４３が昇降自在に収容され、昇降ブラケット４３は下部にラック４１を垂設する。アジャスト伝達軸３９は、ケース歯車３５に相対回転不能となって同軸に挿入され、ピニオン３７を固定した先端が外框１３の内部に挿入される。ラック４１は、アジャスト伝達軸３９のピニオン３７と噛合する。つまり、シリンダ錠１７の回転操作力により、アジャスト伝達軸３９を介して昇降ブラケット４３が昇降される。
【００２８】
図１１（ａ）は振出爪をアジャスト伝達軸の軸線に沿う方向から見た要部正面図、（ｂ）はその側面図である。
外框１３には振出爪２１，２３が、軸部１０３を介して回転自在に支持される。振出爪２１，２３は、昇降ブラケット４３に連動し内外框の召合面開口部である振出穴７７（図５参照）から進退してＬ字片６０を上下から押圧し、昇降板２５を昇降させる。振出爪２１，２３は、不図示の付勢バネにて、図１１に示す中立位置に配置される。振出爪２１，２３の基部には係合突起１０７が突設され、係合突起１０７は昇降ブラケット４３の両側板に形成された係合凹部１０９に係合する。
【００２９】
上側の振出爪２１は、中立状態の昇降ブラケット４３が上昇すると、係合突起１０７が係合凹部１０９に押し上げられて図１１（ｂ）の反時計回りに回転し、Ｌ字片６０を介して昇降板２５を押下する。また、下側の振出爪２３は、中立状態の昇降ブラケット４３が下降すると、係合突起１０７が係合凹部１０９に押し下げられて図１１（ｂ）の時計回りに回転され、Ｌ字片６０を介して昇降板２５を押し上げる。すなわち、外框１３から突出する振出爪２１，２３により、昇降板２５を昇降して、カマボルト１９を進退可能としている。
【００３０】
本実施の形態による引違い戸用錠１００では、昇降板２５の昇降に連動して内框１１から進退し、振出爪２１，２３の進退路６９を包囲する筒状のプロテクタ５７が設けられている。プロテクタ５７は、図１に示す錠箱５９の側壁に形成した長穴１１１に、摺動ピン１１３を係合して横方向にスライドする。また、この摺動ピン１１３には昇降板２５に形成された斜め溝１１５が係合することで、プロテクタ５７は昇降板２５の昇降に連動して進退する。
【００３１】
昇降板２５の移動によりカマボルト１９がストライク２９に係合すると、同時に、昇降板２５の移動に連動してプロテクタ５７が振出し爪の進退路６９に突出し、プロテクタ５７が内框１１及び外框１３に形成された振出穴７７を覆う。これにより、外部より外框１３と内框１１の召合面から針金等が内部機構部へ挿入できなくなり、防犯性が向上する。
【００３２】
次に、上記構成の引違い戸用錠の作用を説明する。
図１２は解錠状態におけるカマボルト近傍の側面図である。
解錠状態では、図１に示した摘み２７が上方に配置され、昇降板２５が上方に位置する。カマボルト１９は、昇降板２５の固定ピン５６にて基端係合穴５５が引き上げられ、内框１１内に後退状態となる。また、この解錠状態では、プロテクタ５７も、摺動ピン１１３が昇降板２５の斜め溝１１５にて左方へ押圧され、内框１１内に後退状態となる。
【００３３】
図１３は施解錠の途中状態におけるカマボルト近傍の側面図である。
室内側より、摘み２７が下側へ移動されると、昇降板２５が連動して下降する。すると、固定ピン５６が基端係合穴５５を押し下げる。基端が押し下げられると、カマボルト１９には反時計回りのモーメントが生じ、カマボルト１９が進退穴６７から進出してストライク２９のストライク穴７５へ進入する。これと同時に、摺動ピン１１３が斜め溝１１５に右方へ押圧され、プロテクタ５７が内框１１から突出する。
【００３４】
図１４は施錠状態におけるカマボルト近傍の側面図である。
摘み２７が完全に下降されると、昇降板２５の下降も完了し、カマボルト１９がストライク穴７５に係止完了となる。同時に、プロテクタ５７も先端を外框１３内に進入させ、振出し爪の進退路６９を覆う。これにより、室内側からの摘み２７による施錠が完了する。室内側からの解錠については、摘み２７を図１４に示した下降位置から上方へ移動することにより、昇降板２５、カマボルト１９が上記と逆方向に作動して、施錠状態の解除が可能となる。
【００３５】
図１５は図１１の施錠状態図である。
一方、図１に示した解錠状態において、室外側から施錠を行うには、シリンダ錠１７の鍵穴１０１に不図示の合鍵が挿入され、施錠操作がなされる。すると、テールピース８７が回転され、その回転が、錠歯車３３、ケース歯車３５を介してアジャスト伝達軸３９を図１５の矢印ａ方向に回転する。アジャスト伝達軸３９が回転すると、昇降ブラケット４３が移動量ｈだけ上昇され、係合凹部１０９に係合する係合突起１０７を介し振出爪２１が反時計回りに回転される。振出爪２１が反時計回りに回転することで、Ｌ字片６０を介して昇降板２５が移動量Ｄだけ押下され、上述と同様にしてプロテクタ５７、カマボルト１９が進出される。これにより、室外側からの合鍵による施錠が完了する。
【００３６】
図１６は図１１の解錠状態図である。
また、図２に示した施錠状態において、室外側から解錠を行うには、シリンダ錠１７の鍵穴１０１に不図示の合鍵が挿入され、解錠操作がなされる。すると、テールピース８７が回転され、その回転が、錠歯車３３、ケース歯車３５を介してアジャスト伝達軸３９を図１６の矢印ｂ方向に回転する。アジャスト伝達軸３９が回転すると、昇降ブラケット４３が移動量ｄだけ下降され、係合凹部１０９に係合する係合突起１０７を介し振出爪２３が時計回りに回転される。振出爪２３が時計回りに回転することで、Ｌ字片６０を介して昇降板２５が移動量Ｕだけ押し上げられ、プロテクタ５７、カマボルト１９が後退される。これにより、室外側からの合鍵による解錠が完了する。
【００３７】
このように、引違い戸用錠１００では、従来、カマボルト１９及び振出爪２１，２３と共に上下に並べて配置しなければならなかったシリンダ錠１７が、これらと重ねて配置でき、上下寸法、すなわち、框の長さ方向となる上下の寸法である全高の短縮が可能となる。また、アジャスト伝達軸３９が、ケース歯車３５に対して挿抜方向に移動自在、すなわち調整自在となるので、厚みの異なる種々の外框１３に対応可能となる。さらに、シリンダ錠１７の操作回転が、アジャスト伝達軸３９により外框内へ入力できるので、取り付けのために外框１３に形成する開口が、アジャスト伝達軸３９の貫通孔９０のみとなって小さくなる。
【００３８】
したがって、上記構成の引違い戸用錠１００によれば、シリンダ錠１７を収容した錠ケース３１を外框１３に固定し、この錠ケース３１に、テールピース８７と一体回転する錠歯車３３と、それに噛合するケース歯車３５を設け、ケース歯車３５に挿入されるアジャスト伝達軸３９の先端にピニオン３７を固定して外框１３の内部に挿入し、振出爪２１，２３を進退させる昇降ブラケット４３のラック４１に、このピニオン３７を噛合したので、シリンダ錠１７をカマボルト１９、振出爪２１，２３と上下に並べずに済み、全高を小さくできる。また、アジャスト伝達軸３９とケース歯車３５が軸線に沿って相対移動可能なので、任意の框厚に対応できる。さらに、ストライク２９、シリンダ錠１７、および振出爪２１，２３を一体に備えたユニットを外框１３に装着する必要がなくなり、外框１３の切欠を小さくできる。この結果、コンパクト化を図りつつ、汎用性を高め、しかも、框強度を向上させることができる。
【００３９】
次に、本発明に係る引違い戸用錠の他の実施の形態について説明する。
図１７は本発明に係る引違い戸用錠の他の実施の形態の縦断面図である。なお、図１〜図１６に示した部材と同一の部材には同一の符号を付し重複する説明は省略するものとする。
この実施の形態による引違い戸用錠１００Ａは、シリンダ錠１７のテールピース８７に固定された錠歯車３３が、錠ケース３１に昇降自在に設けられたスライダ１２１のラック４１に噛合する。一方、外框１３には昇降ブラケット４３Ａが昇降自在に設けられ、この昇降ブラケット４３Ａはラック４１を有していない。
【００４０】
昇降ブラケット４３Ａにはアジャスト昇降軸１２３の基端が固定され、アジャスト昇降軸１２３の先端はスライダ１２１に貫通される。外框１３の錠ケース取付面には、アジャスト昇降軸１２３の昇降を可能とする上下に長い長穴１２５が形成される。他の構成は、引違い戸用錠１００と同様である。
【００４１】
この実施の形態による引違い戸用錠１００Ａでは、上記した引違い戸用錠１００と同様の作用効果に加え、ラック付きスライダ１２１を錠ケース３１に収容するので、外框１３内の部品点数を少なくでき、より小さい外框１３への装着を可能にできる。
【符号の説明】
【００４２】
１１…内框
１３…外框
１７…シリンダ錠
１９…カマボルト
２１，２３…振出爪
２５…昇降板
２７…摘み
２９…ストライク
３１…錠ケース
３３…錠歯車
３５…ケース歯車
３７…ピニオン
３９…アジャスト伝達軸
４１…ラック
４３，４３Ａ…昇降ブラケット
５７…プロテクタ
６９…振出爪の進退路
７７…振出穴（召合面開口部）
８７…テールピース
１００，１００Ａ…引違い戸用錠
１２１…スライダ
１２３…アジャスト昇降軸
１２５…長穴
【図１】
2010168855.tif 000003
【図２】
2010168855.tif 000004
【図３】
2010168855.tif 000005
【図４】
2010168855.tif 000006
【図５】
2010168855.tif 000007
【図６】
2010168855.tif 000008
【図７】
2010168855.tif 000009
【図８】
2010168855.tif 000010
【図９】
2010168855.tif 000011
【図１０】
2010168855.tif 000012
【図１１】
2010168855.tif 000013
【図１２】
2010168855.tif 000014
【図１３】
2010168855.tif 000015
【図１４】
2010168855.tif 000016
【図１５】
2010168855.tif 000017
【図１６】
2010168855.tif 000018
【図１７】
2010168855.tif 000019